(57)【要約】【課題】ＭＤプレーヤにおいて、１枚のＭＤに様々なジャンルの楽曲が混在していても、すべての楽曲をユーザ好みのボリュームで楽しめるようにする。【解決手段】ＭＤ４に格納された各グループに対応して、ボリューム設定、イコライザ設定およびサラウンド設定をそれぞれＲＡＭ１０に記憶しておく。主制御部２は、グループ中の楽曲の演奏に際して、当該グループに対応するボリューム設定、イコライザ設定およびサラウンド設定をＲＡＭ１０から読み出し、これらボリューム設定、イコライザ設定およびサラウンド設定に基づいて当該グループ中の楽曲を演奏するように制御する。これにより、ＭＤ４中のグループ単位で楽曲のボリューム、イコライザおよびサラウンドが自動的に設定される。【選択図】図１
2007058997.tif 000002
【特許請求の範囲】
【請求項１】
記録媒体に格納された複数のグループに含まれる楽曲を連続的に演奏する記録媒体再生装置であって、
前記各グループに対応するボリューム設定をそれぞれ記憶するメモリ手段と、
このメモリ手段に記憶されたボリューム設定に基づいて当該グループ中の楽曲を演奏する楽曲演奏手段と
を具備していることを特徴とする記録媒体再生装置。
【請求項２】
記録媒体に格納された複数のグループに含まれる楽曲を連続的に演奏する記録媒体再生装置であって、
前記各グループに対応するボリューム設定をそれぞれ記憶するメモリ手段と、
前記グループを判定するグループ判定手段と、
このグループ判定手段が判定したグループに対応するボリューム設定を前記メモリ手段から読み出し、このボリューム設定に基づいて当該グループ中の楽曲を演奏する楽曲演奏手段と
を具備していることを特徴とする記録媒体再生装置。
【請求項３】
前記グループ判定手段は、前記グループをグループ名に基づいて判定することを特徴とする請求項２に記載の記録媒体再生装置。
【請求項４】
前記メモリ手段は、ＲＡＭであることを特徴とする請求項１乃至３のいずれかに記載の記録媒体再生装置。
【請求項５】
前記グループのボリューム設定を固定するボリューム固定手段を具備していることを特徴とする請求項１乃至４のいずれかに記載の記録媒体再生装置。
【請求項６】
前記グループの再生中に当該グループのボリューム設定を前のグループのボリューム設定に戻すボリューム戻し手段を具備していることを特徴とする請求項１乃至５のいずれかに記載の記録媒体再生装置。
【請求項７】
記録媒体に格納された複数のグループに含まれる楽曲を連続的に演奏する記録媒体再生方法であって、
前記各グループに対応するボリューム設定をそれぞれメモリ手段に記憶しておき、
前記グループの再生に際して、前記メモリ手段に記憶されたボリューム設定に基づいて当該グループ中の楽曲を演奏することを特徴とする記録媒体再生方法。
【請求項８】
前記メモリ手段は、ＲＡＭであることを特徴とする請求項７に記載の記録媒体再生方法。
【請求項９】
前記グループのボリューム設定を固定することを特徴とする請求項７または８に記載の記録媒体再生方法。
【請求項１０】
前記グループの再生中に当該グループのボリューム設定を前のグループのボリューム設定に戻すことを特徴とする請求項７乃至９のいずれかに記載の記録媒体再生方法。
【発明の詳細な説明】
【技術分野】
【０００１】
本発明は、ＭＤ（ミニディスク）に記録されている音楽を再生するＭＤプレーヤなどの記録媒体再生装置と、この記録媒体再生装置を用いてＭＤなどの記録媒体を再生する際に適用するに好適な記録媒体再生方法に関するものである。
【背景技術】
【０００２】
近年、Ｈｉ−ＭＤフォーマットの登場により、容量１ＧＢのディスクに最大で４５時間分の楽曲を記録することができるようになった。そのため、１枚のディスクに様々な種別（クラシック、ジャズ、カントリー、ハードロック、流行歌など）の楽曲を記録し、楽曲のジャンルごとに最大２５５個のグループを登録することができる。
【０００３】
このような流れの中で、ディスク中の記録内容に応じてイコライザ特性およびサラウンド特性を自動的に設定する技術（以下、公知技術１という。）が提案されていた（例えば、特許文献１参照）。
【特許文献１】特開平６−１５０５４３号公報（段落〔００３９〕〔００４０〕の欄、図４）
【発明の開示】
【発明が解決しようとする課題】
【０００４】
しかし、公知技術１では、イコライザ特性とサラウンド特性のみが自動的に設定されるに過ぎず、ボリューム（音量）はディスク全体を通じて一律に設定される（特許文献１の段落〔００２６〕の欄参照）。したがって、１つの記録媒体に様々なジャンルの楽曲が混在していると、例えば、クラシックからハードロックに切り替わったときに大音量に驚かされるという事態が生じてしまう。
【０００５】
本発明は、こうした不都合を解消することが可能な、記録媒体再生装置および記録媒体再生方法を提供することを目的とする。
【課題を解決するための手段】
【０００６】
まず、請求項１に係る記録媒体再生装置の発明は、記録媒体に格納された複数のグループに含まれる楽曲を連続的に演奏する記録媒体再生装置であって、前記各グループに対応するボリューム設定をそれぞれ記憶するメモリ手段と、このメモリ手段に記憶されたボリューム設定に基づいて当該グループ中の楽曲を演奏する楽曲演奏手段とを具備していることを特徴とする。
また、請求項２に係る記録媒体再生装置の発明は、記録媒体に格納された複数のグループに含まれる楽曲を連続的に演奏する記録媒体再生装置であって、前記各グループに対応するボリューム設定をそれぞれ記憶するメモリ手段と、前記グループを判定するグループ判定手段と、このグループ判定手段が判定したグループに対応するボリューム設定を前記メモリ手段から読み出し、このボリューム設定に基づいて当該グループ中の楽曲を演奏する楽曲演奏手段とを具備していることを特徴とする。
また、請求項３に係る記録媒体再生装置の発明は、前記グループ判定手段は、前記グループをグループ名に基づいて判定することを特徴とする。
また、請求項４に係る記録媒体再生装置の発明は、前記メモリ手段は、ＲＡＭであることを特徴とする。
また、請求項５に係る記録媒体再生装置の発明は、前記グループのボリューム設定を固定するボリューム固定手段を具備していることを特徴とする。
また、請求項６に係る記録媒体再生装置の発明は、前記グループの再生中に当該グループのボリューム設定を前のグループのボリューム設定に戻すボリューム戻し手段を具備していることを特徴とする。
また、請求項７に係る記録媒体再生方法の発明は、記録媒体に格納された複数のグループに含まれる楽曲を連続的に演奏する記録媒体再生方法であって、前記各グループに対応するボリューム設定をそれぞれメモリ手段に記憶しておき、前記グループの再生に際して、前記メモリ手段に記憶されたボリューム設定に基づいて当該グループ中の楽曲を演奏することを特徴とする。
また、請求項８に係る記録媒体再生方法の発明は、前記メモリ手段は、ＲＡＭであることを特徴とする。
また、請求項９に係る記録媒体再生方法の発明は、前記グループのボリューム設定を固定することを特徴とする。
また、請求項１０に係る記録媒体再生方法の発明は、前記グループの再生中に当該グループのボリューム設定を前のグループのボリューム設定に戻すことを特徴とする。
【発明の効果】
【０００７】
本発明によれば、記録媒体中のグループ単位で楽曲のボリュームが自動的に設定されるため、１つの記録媒体に様々なジャンルの楽曲が混在していても、すべての楽曲をユーザ好みのボリュームで楽しむことができる。
【発明を実施するための最良の形態】
【０００８】
以下、本発明の実施形態を図面に基づいて説明する。
【０００９】
＜第１の実施形態＞
図１は本発明に係るＭＤプレーヤの第１の実施形態を示すブロック図、図２はグループ設定テーブルを示す模式図、図３はＭＤの録音構成を示す模式図、図４は第１再生プログラムのフローチャートである。
【００１０】
ＭＤプレーヤ（記録媒体再生装置）１は、図１に示すように、ＣＰＵ（中央演算処理装置）などの主制御部２を有しており、主制御部２には、媒体アクセス部３、信号処理回路５、操作部６、表示部７、ＲＯＭ（読取り専用記憶装置）９、ＲＡＭ（読取り書込み記憶装置）１０が接続されている。さらに、信号処理回路５には増幅器１１が接続されており、増幅器１１にはスピーカ１２が接続されている。
【００１１】
ここで、媒体アクセス部３は、ＭＤ４の音声データを読み出して信号処理回路５に送出する機能を備えている。また、信号処理回路５は、媒体アクセス部３からの音声データをアナログ変換して音声信号を生成し、この音声信号を増幅器１１に送出する機能を備えている。また、操作部６は、ＭＤ４の再生を指示する再生キーを備えている。また、表示部７は、再生中の楽曲に関するデータ（曲名、アーティスト名など）やＭＤプレーヤ１の状態を液晶などで表示する機能を備えている。
【００１２】
また、ＲＯＭ９には、図４に示す第１再生プログラムＰＲＧ１が読み出し自在に格納されている。また、ＲＡＭ１０には、図２に示すグループ設定テーブルＴＢＬが読み出し自在に格納されている。このグループ設定テーブルＴＢＬは、操作部６を操作してユーザが予め入力したデータに基づいて作成されたものである。
【００１３】
ＭＤプレーヤ１は以上のような構成を有するので、図３に示すように、多数の楽曲が複数（図３では、１０）のグループに分類された形で録音されたＭＤ４をＭＤプレーヤ１で再生する際には、ユーザ（使用者）は、このＭＤ４を媒体アクセス部３にセットした後、操作部６の再生キーを押下する。すると、主制御部２は、第１再生プログラムＰＲＧ１をＲＯＭ９から読み出し、この第１再生プログラムＰＲＧ１に基づいて所定の動作を実行する。
【００１４】
すなわち、まず、主制御部２は、これから再生しようとするグループが何か判定する（第１再生プログラムＰＲＧ１のステップＳ１１）。この判定は、グループ名に基づいて行われる。例えば、グループ名が「ショパンの調べ」や「ブラームス名曲選」である場合、このグループは「クラシック」であると判断し、グループ名が「ジャズ大全」である場合、このグループは「ジャズ」であると判断する。
【００１５】
次いで、主制御部２は、グループ設定テーブルＴＢＬをＲＡＭ１０から読み出し、このグループ設定テーブルＴＢＬに当該グループが登録されているか否かをチェックする（第１再生プログラムＰＲＧ１のステップＳ１２）。例えば、当該グループが「クラシック」や「ハードロック」である場合、グループ設定テーブルＴＢＬに登録されていると判断し、当該グループが「演歌」である場合、グループ設定テーブルＴＢＬに登録されていないと判断する。
【００１６】
そして、当該グループがグループ設定テーブルＴＢＬに登録されていない場合、主制御部２は、現在の設定（ボリューム設定、イコライザ設定およびサラウンド設定）のまま当該グループ中の楽曲を演奏するように制御する（第１再生プログラムＰＲＧ１のステップＳ１３）。すなわち、主制御部２は、媒体アクセス部３および信号処理回路５に楽曲の演奏を指令する。これを受けて、媒体アクセス部３は、ＭＤ４から音声データ（デジタルデータ）を読み出して信号処理回路５に送出する。また、信号処理回路５は、この音声データをアナログ変換して音声信号を生成し、この音声信号を増幅器１１に送出する。すると、増幅器１１は、この音声信号を現在のボリューム設定に合わせて増幅してからスピーカ１２に送出する。その結果、現在の設定（ボリューム設定、イコライザ設定およびサラウンド設定）で、当該グループ中の楽曲がスピーカ１２から出力されて演奏される。
【００１７】
一方、当該グループがグループ設定テーブルＴＢＬに登録されている場合、主制御部２は、グループ設定テーブルＴＢＬを参照して、当該グループのボリューム、イコライザおよびサラウンドを設定した後（第１再生プログラムＰＲＧ１のステップＳ１４）、当該グループ中の楽曲を演奏するように制御する（第１再生プログラムＰＲＧ１のステップＳ１３）。すなわち、主制御部２は、媒体アクセス部３および信号処理回路５に楽曲の演奏を指令する。これを受けて、媒体アクセス部３は、ＭＤ４から音声データ（デジタルデータ）を読み出して信号処理回路５に送出する。また、信号処理回路５は、この音声データをアナログ変換して音声信号を生成し、この音声信号を増幅器１１に送出する。すると、増幅器１１は、この音声信号を先程のボリューム設定に合わせて増幅してからスピーカ１２に送出する。その結果、先程の設定（ボリューム設定、イコライザ設定およびサラウンド設定）で、当該グループ中の楽曲がスピーカ１２から出力されて演奏される。
【００１８】
このように、ＭＤ４中のグループ単位で楽曲のボリューム、イコライザおよびサラウンドが自動的に設定されるため、１枚のＭＤ４に様々なジャンルの楽曲が混在していても、すべての楽曲をユーザ好みのボリューム、イコライザおよびサラウンドで楽しむことができる。したがって、例えば、「クラシック」についてボリュームを高く設定し、「ハードロック」についてボリュームを低く設定することにより、グループが「クラシック」から「ハードロック」に切り替わったときに大音量に驚かされるという事態を回避することができる。
【００１９】
＜第２の実施形態＞
図５は第２再生プログラムのフローチャートである。
【００２０】
ＭＤプレーヤ１は、上述した第１の実施形態と同様の構成を有していることに加えて、操作部６にボリューム固定ボタン（図示せず）が設けられている。また、ＲＯＭ９には、図５に示す第２再生プログラムＰＲＧ２が読み出し自在に格納されている。
【００２１】
そして、ユーザが媒体アクセス部３にＭＤ４をセットして操作部６の再生キーを押下すると、主制御部２は、第２再生プログラムＰＲＧ２をＲＯＭ９から読み出し、この第２再生プログラムＰＲＧ２に基づいて所定の動作を実行する。
【００２２】
すなわち、まず、主制御部２は、これから再生しようとするグループが何か判定する（第２再生プログラムＰＲＧ２のステップＳ２１）。この判定は、グループ名に基づいて行われる。例えば、グループ名が「ショパンの調べ」や「ブラームス名曲選」である場合、このグループは「クラシック」であると判断し、グループ名が「ジャズ大全」である場合、このグループは「ジャズ」であると判断する。
【００２３】
次いで、主制御部２は、グループ設定テーブルＴＢＬをＲＡＭ１０から読み出し、このグループ設定テーブルＴＢＬに当該グループが登録されているか否かをチェックする（第２再生プログラムＰＲＧ２のステップＳ２２）。例えば、当該グループが「クラシック」や「ハードロック」である場合、グループ設定テーブルＴＢＬに登録されていると判断し、当該グループが「演歌」である場合、グループ設定テーブルＴＢＬに登録されていないと判断する。
【００２４】
そして、当該グループがグループ設定テーブルＴＢＬに登録されていない場合、主制御部２は、現在の設定（ボリューム設定、イコライザ設定およびサラウンド設定）のまま当該グループ中の楽曲を演奏するように制御する（第２再生プログラムＰＲＧ２のステップＳ２３）。すなわち、主制御部２は、媒体アクセス部３および信号処理回路５に楽曲の演奏を指令する。これを受けて、媒体アクセス部３は、ＭＤ４から音声データ（デジタルデータ）を読み出して信号処理回路５に送出する。また、信号処理回路５は、この音声データをアナログ変換して音声信号を生成し、この音声信号を増幅器１１に送出する。すると、増幅器１１は、この音声信号を現在のボリューム設定に合わせて増幅してからスピーカ１２に送出する。その結果、現在の設定（ボリューム設定、イコライザ設定およびサラウンド設定）で、当該グループ中の楽曲がスピーカ１２から出力されて演奏が開始される。
【００２５】
一方、当該グループがグループ設定テーブルＴＢＬに登録されている場合、主制御部２は、グループ設定テーブルＴＢＬを参照して、当該グループのボリューム、イコライザおよびサラウンドを設定した後（第２再生プログラムＰＲＧ２のステップＳ２４）、当該グループ中の楽曲を演奏するように制御する（第２再生プログラムＰＲＧ２のステップＳ２３）。すなわち、主制御部２は、媒体アクセス部３および信号処理回路５に楽曲の演奏を指令する。これを受けて、媒体アクセス部３は、ＭＤ４から音声データ（デジタルデータ）を読み出して信号処理回路５に送出する。また、信号処理回路５は、この音声データをアナログ変換して音声信号を生成し、この音声信号を増幅器１１に送出する。すると、増幅器１１は、この音声信号を先程のボリューム設定に合わせて増幅してからスピーカ１２に送出する。その結果、先程の設定（ボリューム設定、イコライザ設定およびサラウンド設定）で、当該グループ中の楽曲がスピーカ１２から出力されて演奏が開始される。
【００２６】
このとき、主制御部２は、演奏中に操作部６のボリューム固定ボタンが押下されるか否かを常に監視しており（第２再生プログラムＰＲＧ２のステップＳ２５）、演奏終了時までユーザが操作部６のボリューム固定ボタンを押下しなかった場合は、現在のボリュームのまま当該グループの演奏を継続して終了する（第２再生プログラムＰＲＧ２のステップＳ２６）。
【００２７】
一方、演奏中にユーザが操作部６のボリューム固定ボタンを押下した場合、主制御部２は、そのまま当該グループの演奏を終了した後（第２再生プログラムＰＲＧ２のステップＳ２７）、次のグループについて、そのボリュームを固定する（第２再生プログラムＰＲＧ２のステップＳ２８）。すなわち、次のグループについては、グループ設定テーブルＴＢＬに基づく設定とは無関係に、前のグループ（いま演奏を終了したグループ）と同じボリューム設定とする。なお、イコライザ設定およびサラウンド設定に関しては、固定することなく、グループ設定テーブルＴＢＬに従う。そして、第２再生プログラムＰＲＧ２のステップＳ２３に戻り、次のグループについて、その楽曲を演奏するように制御する。その後、第２再生プログラムＰＲＧ２のステップＳ２５〜Ｓ２８の動作を繰り返す。
【００２８】
このように、ＭＤ４中のグループ単位で楽曲のボリューム、イコライザおよびサラウンドが自動的に設定されるため、１枚のＭＤ４に様々なジャンルの楽曲が混在していても、すべての楽曲をユーザ好みのボリューム、イコライザおよびサラウンドで楽しむことができる。したがって、例えば、「クラシック」についてボリュームを高く設定し、「ハードロック」についてボリュームを低く設定することにより、グループが「クラシック」から「ハードロック」に切り替わったときに大音量に驚かされるという事態を回避することができる。
【００２９】
しかも、ユーザの意向によってボリュームを固定することもできるので、そのときの気分に応じてボリュームを自在に調整することが可能となり、ＭＤプレーヤ１のユーザビリティが向上する。
【００３０】
＜第３の実施形態＞
図６は第３再生プログラムのフローチャートである。
【００３１】
ＭＤプレーヤ１は、上述した第１の実施形態と同様の構成を有していることに加えて、操作部６にボリューム戻しボタン（図示せず）が設けられている。また、ＲＯＭ９には、図６に示す第３再生プログラムＰＲＧ３が読み出し自在に格納されている。
【００３２】
そして、ユーザが媒体アクセス部３にＭＤ４をセットして操作部６の再生キーを押下すると、主制御部２は、第３再生プログラムＰＲＧ３をＲＯＭ９から読み出し、この第３再生プログラムＰＲＧ３に基づいて所定の動作を実行する。
【００３３】
すなわち、まず、主制御部２は、これから再生しようとするグループが何か判定する（第３再生プログラムＰＲＧ３のステップＳ３１）。この判定は、グループ名に基づいて行われる。例えば、グループ名が「ショパンの調べ」や「ブラームス名曲選」である場合、このグループは「クラシック」であると判断し、グループ名が「ジャズ大全」である場合、このグループは「ジャズ」であると判断する。
【００３４】
次いで、主制御部２は、グループ設定テーブルＴＢＬをＲＡＭ１０から読み出し、このグループ設定テーブルＴＢＬに当該グループが登録されているか否かをチェックする（第３再生プログラムＰＲＧ３のステップＳ３２）。例えば、当該グループが「クラシック」や「ハードロック」である場合、グループ設定テーブルＴＢＬに登録されていると判断し、当該グループが「演歌」である場合、グループ設定テーブルＴＢＬに登録されていないと判断する。
【００３５】
そして、当該グループがグループ設定テーブルＴＢＬに登録されていない場合、主制御部２は、現在の設定（ボリューム設定、イコライザ設定およびサラウンド設定）のまま当該グループ中の楽曲を演奏するように制御する（第３再生プログラムＰＲＧ３のステップＳ３３）。すなわち、主制御部２は、媒体アクセス部３および信号処理回路５に楽曲の演奏を指令する。これを受けて、媒体アクセス部３は、ＭＤ４から音声データ（デジタルデータ）を読み出して信号処理回路５に送出する。また、信号処理回路５は、この音声データをアナログ変換して音声信号を生成し、この音声信号を増幅器１１に送出する。すると、増幅器１１は、この音声信号を現在のボリューム設定に合わせて増幅してからスピーカ１２に送出する。その結果、現在の設定（ボリューム設定、イコライザ設定およびサラウンド設定）で、当該グループ中の楽曲がスピーカ１２から出力されて演奏が開始される。
【００３６】
一方、当該グループがグループ設定テーブルＴＢＬに登録されている場合、主制御部２は、グループ設定テーブルＴＢＬを参照して、当該グループのボリューム、イコライザおよびサラウンドを設定した後（第３再生プログラムＰＲＧ３のステップＳ３４）、当該グループ中の楽曲を演奏するように制御する（第３再生プログラムＰＲＧ３のステップＳ３３）。すなわち、主制御部２は、媒体アクセス部３および信号処理回路５に楽曲の演奏を指令する。これを受けて、媒体アクセス部３は、ＭＤ４から音声データ（デジタルデータ）を読み出して信号処理回路５に送出する。また、信号処理回路５は、この音声データをアナログ変換して音声信号を生成し、この音声信号を増幅器１１に送出する。すると、増幅器１１は、この音声信号を先程のボリューム設定に合わせて増幅してからスピーカ１２に送出する。その結果、先程の設定（ボリューム設定、イコライザ設定およびサラウンド設定）で、当該グループ中の楽曲がスピーカ１２から出力されて演奏が開始される。
【００３７】
このとき、主制御部２は、演奏中に操作部６のボリューム戻しボタンが押下されるか否かを常に監視しており（第３再生プログラムＰＲＧ３のステップＳ３５）、演奏終了時までユーザが操作部６のボリューム戻しボタンを押下しなかった場合は、現在のボリュームのまま当該グループの演奏を継続して終了する（第３再生プログラムＰＲＧ３のステップＳ３６）。
【００３８】
一方、演奏中にユーザが操作部６のボリューム戻しボタンを押下した場合、主制御部２は、前のグループのボリューム設定に直ちに戻した後（第３再生プログラムＰＲＧ３のステップＳ３７）、このボリュームで当該グループの演奏を継続して終了する（第３再生プログラムＰＲＧ３のステップＳ３６）。
【００３９】
このように、ＭＤ４中のグループ単位で楽曲のボリューム、イコライザおよびサラウンドが自動的に設定されるため、１枚のＭＤ４に様々なジャンルの楽曲が混在していても、すべての楽曲をユーザ好みのボリューム、イコライザおよびサラウンドで楽しむことができる。したがって、例えば、「クラシック」についてボリュームを高く設定し、「ハードロック」についてボリュームを低く設定することにより、グループが「クラシック」から「ハードロック」に切り替わったときに大音量に驚かされるという事態を回避することができる。
【００４０】
しかも、ユーザの意向によってボリュームを戻すこともできるので、そのときの気分に応じてボリュームを自在に調整することが可能となり、ＭＤプレーヤ１のユーザビリティが向上する。
【産業上の利用可能性】
【００４１】
本発明は、ＭＤプレーヤその他の記録媒体再生装置（例えば、ＨＤＤプレーヤ、メモリープレーヤ、ＭＰ３／ＣＤプレーヤなど）に広く適用することができる。
【図面の簡単な説明】
【００４２】
【図１】本発明に係るＭＤプレーヤの第１の実施形態を示すブロック図である。
【図２】グループ設定テーブルを示す模式図である。
【図３】ＭＤの録音構成を示す模式図である。
【図４】第１再生プログラムのフローチャートである。
【図５】第２再生プログラムのフローチャートである。
【図６】第３再生プログラムのフローチャートである。
【符号の説明】
【００４３】
１……ＭＤプレーヤ（記録媒体再生装置）
２……主制御部（グループ判定手段、楽曲演奏手段、ボリューム固定手段、ボリューム戻し手段）
３……媒体アクセス部
４……ＭＤ（記録媒体）
５……信号処理回路
６……操作部
７……表示部
９……ＲＯＭ
１０……ＲＡＭ（メモリ手段）
１１……増幅器
１２……スピーカ
ＴＢＬ……グループ設定テーブル
ＰＲＧ１……第１再生プログラム
ＰＲＧ２……第２再生プログラム
ＰＲＧ３……第３再生プログラム
【図１】
2007058997.tif 000003
【図２】
2007058997.tif 000004
【図３】
2007058997.tif 000005
【図４】
2007058997.tif 000006
【図５】
2007058997.tif 000007
【図６】
2007058997.tif 000008